(57)【要約】【課題】ＡＴＳ試験コイルを点検する際に試験時位置と非試験時位置との切替移動させることが容易に出来るＡＴＳ試験コイル移動装置を得る。【解決手段】線路側に設けた試験用のＡＴＳ試験コイル６にて車両側に設けられたＡＴＳ車上装置５を試験するＡＴＳ試験装置８に、点検作業場１にＡＴＳ試験コイル６を点検用に試験時位置と非試験時位置との切替移動させるＡＴＳ試験コイル移動装置７を備え、ＡＴＳ試験コイル移動装置７を、入力操作を行う入力操作部７ａと、駆動出力を行う駆動出力部７ｂと、駆動出力を受けて所定角度回転する２連の回転シリンダー７ｃと、同じく駆動出力を受けて回転シリンダー７ｃの回転位置決めをする回転位置決め手段７ｄと、ＡＴＳ試験コイル６を保持して回転シリンダー７ｃの回転により所定角度回転移動する試験コイル保持移動板７ｅとで構成した【選択図】    図４
2004203361.tif 000002
【特許請求の範囲】
【請求項１】
車両側に設けられたＡＴＳ車上装置の試験用の共振コイルを備えたＡＴＳ試験コイルを点検作業場の車両の床下に設けＡＴＳ車上装置を試験するＡＴＳ試験装置において、前記点検作業場にＡＴＳ試験コイルを点検用に試験時位置と非試験時位置との切替移動させるＡＴＳ試験コイル移動装置を設け、このＡＴＳ試験コイル移動装置を、入力操作を行う入力操作部と、この入力操作部の操作に基づき駆動出力を行う駆動出力部と、この駆動出力部からの駆動出力を受けて所定角度回転する２連の回転シリンダーと、同じく駆動出力部からの駆動出力を受けてこの回転シリンダーの回転位置決めをする回転位置決め手段と、は前記ＡＴＳ試験コイルを保持して回転シリンダーの回転により所定角度回転移動する試験コイル保持移動板とで構成し、ＡＴＳ試験コイルを点検用に試験時位置と非試験時位置との切替移動させるために容易に移動可能としたことを特徴とするＡＴＳ試験コイル移動装置。
【請求項２】
前記駆動出力部は駆動用空気圧出力を行い駆動出力部、２連の回転シリンダーはこの駆動出力部からの駆動出力を受けて所定角度回転するようエアー駆動され、同じく回転位置決め手段は駆動出力部からの駆動出力を受けてこの回転シリンダーの回転位置決めをするようエアー駆動されるものとした請求項１記載のＡＴＳ試験コイル移動装置。
【請求項３】
前記ＡＴＳ試験コイル移動装置の入力操作部を点検作業場内車両床下の作業溝側に設けるとともに、点検作業場内レールの外の地上にも設け、複数箇所で並列に操作できるものとした請求項１又は２記載のＡＴＳ試験コイル移動装置。
【請求項４】
前記ＡＴＳ試験コイル移動装置の入力操作部に遠隔入力操作部を設けたものとして遠隔操作にて駆動出力部に駆動出力を行う、任意の箇所で操作できるものとした請求項１又は２記載のＡＴＳ試験コイル移動装置。
【発明の詳細な説明】
【０００１】
【発明の属する技術分野】
本発明は車両の点検を行う車両基地において、車両側に設けられたＡＴＳ車上装置の試験用にＡＴＳ地上装置と同様の共振コイルを備えたＡＴＳ試験コイルを車両の床下作業場所に設け、このＡＴＳ試験コイルを点検用に試験時位置と非試験時位置との切替移動させるために移動可能としたＡＴＳ試験コイル移動装置に関するものである。
【０００２】
【従来の技術】
軌道上を走行する電車や列車などの車両の安全な走行を保持するためにＡＴＳ装置（自動列車停止装置）が用いられ、ＡＴＳ装置の一部として地上装置は軌道上に設置され、車上装置は車両上に設けられ、これらの組み合わせにより、車両の通過速度や通過位置などを自動的に認識する役割を分担し、列車の速度制御や停止制御などを行っているが、車両の点検を行う車両基地においても、点検のため入庫した車両の列車側に設けられたＡＴＳ車上装置の試験用にＡＴＳ地上装置と同様の共振コイルを備えたＡＴＳ試験コイルを車両の床下作業場所に設けることがあり、例えばＡＴＳ試験コイルとして、特許第３００５５９０号公報に示すごとき可搬形ＡＴＳ地上子を取付け板でレールに固定してもよい。
【０００３】
また、電車の床下の作業場所においてＡＴＳ車上装置の地上装置からの信号受信可能範囲の測定の効率化を図るものとして、実用新案登録第３０６４４９８号公報に示す如く、列車の進行方向に沿って地上側に複数配置された送信アンテナ手段と、送信アンテナ手段からＡＴＳ車上装置に送信する地上信号を設定する信号設定手段と、設定された地上信号を複数の送信アンテナ手段のいずれかに送信するために送信経路を切り替える送信経路切替手段と、地上信号がＡＴＳ車上装置によって受信されたことを認識すると、認識結果に基づいてＡＴＳ車上装置の信号受信可能範囲を演算する受信可能範囲演算手段とを備えたものがある。
【０００４】
【発明が解決しようとする課題】
しかし、可搬形のＡＴＳ試験コイルを車両の床下作業場所にて取付け板でレールに固定するものは、点検のため入庫した車両のＡＴＳ車上装置の試験の際はＡＴＳ試験コイルを取付けて試験し、車両の下側を点検する場合にＡＴＳ試験コイルが邪魔になるので取外してから、車両の点検をせねばならず、ＡＴＳ試験コイルの取付け取外しが面倒であるという欠点があった。
【０００５】
また、実用新案登録第３０６４４９８号公報に示すものも、複数の送信アンテナ手段を車両の床下作業場所の線路上に設けているので、入庫した車両の点検の際に複数の送信アンテナ手段が邪魔になるとともに構成が複雑で構成部品も多くなるという欠点があった。そこで本発明の目的は、ＡＴＳ試験コイルを点検用に試験時位置と非試験時位置との切替移動させるために容易に移動可能としたＡＴＳ試験コイル移動装置を提供することにある。
【０００６】
【課題を解決するための手段】
上記の課題を解決するために、本発明は車両側に設けられたＡＴＳ車上装置の試験用の共振コイルを備えたＡＴＳ試験コイルを点検作業場の車両の床下に設けＡＴＳ車上装置を試験するＡＴＳ試験装置において、点検作業場にＡＴＳ試験コイルを点検用に試験時位置と非試験時位置との切替移動させるＡＴＳ試験コイル移動装置を設け、ＡＴＳ試験コイル移動装置を、入力操作を行う入力操作部と、入力操作部の操作に基づき駆動出力を行う駆動出力部と、駆動出力部からの駆動出力を受けて所定角度回転する２連の回転シリンダーと、同じく駆動出力部からの駆動出力を受けて回転シリンダーの回転位置決めをする回転位置決め手段と、は前記ＡＴＳ試験コイルを保持して回転シリンダーの回転により所定角度回転移動する試験コイル保持移動板とで構成した。
【０００７】
上記構成により、通常はＡＴＳ試験コイル移動装置の入力操作部にてＡＴＳ試験コイルを試験時位置に移動するよう操作してあり、駆動出力部は回転駆動出力を２連の回転シリンダーに送り所定角度回転させ、駆動出力部は同じく位置決め駆動出力を回転位置決め手段に送り回転シリンダーが所定角度回転したら停止する回転位置決めをするよう駆動させ、ＡＴＳ試験コイルを試験時位置に移動させた状態にしておくと、点検作業場内に点検対象の車両を入庫させ、ＡＴＳ車上装置を試験する場合に、各車両に乗車したままＡＴＳ車上装置を試験することが出来、次に点検作業場内車両床下の作業溝等にて、車両の下側を点検する場合には、ＡＴＳ試験コイルが邪魔にならぬよう、ＡＴＳ試験コイル移動装置の入力操作部にてＡＴＳ試験コイルを非試験時位置に移動するよう操作しておくと、駆動出力部は回転駆動出力を２連の回転シリンダーに送り所定角度回転させ、駆動出力部は同じく位置決め駆動出力を回転位置決め手段に送り回転シリンダーが所定角度回転したら停止する回転位置決めさせ、ＡＴＳ試験コイルを非試験時位置に移動させるので、ＡＴＳ試験コイルを点検用に試験時位置と非試験時位置との切替移動させるために容易に移動可能となる。
【０００８】
前記駆動出力部は駆動用空気圧出力を行い駆動出力部、２連の回転シリンダーはこの駆動出力部からの駆動出力を受けて所定角度回転するようエアー駆動され、同じく回転位置決め手段は駆動出力部からの駆動出力を受けてこの回転シリンダーの回転位置決めをするようエアー駆動されるものとすると、電動式の漏電や絶縁劣化等に対して耐久性に優れ、かつ動作が円滑で駆動装置がコンパクトになるメリットがある。
【０００９】
前記ＡＴＳ試験コイル移動装置の入力操作部を点検作業場内車両床下の作業溝側に設けるとともに、点検作業場内レールの外の地上にも設け、複数箇所で並列に操作出来るものとすると、車両床下の作業溝側やレールの外の地上等、複数箇所からＡＴＳ試験コイルを移動できるので作業上便利である。
【００１０】
前記ＡＴＳ試験コイル移動装置の入力操作部に遠隔入力操作部を設けたものとして遠隔操作にて駆動出力部に駆動出力を行う、任意の箇所で操作できるものとすると、車両床下の作業溝側やレールの外の地上から、また更に乗車したまま車両からもと、任意の箇所からＡＴＳ試験コイルを移動できるので作業上便利である。なお点検作業場内の点検対象の複数の車両車両に対応してＡＴＳ試験コイル移動装置を増設するとより効率良くＡＴＳ車上装置を試験できる。
【００１１】
【発明の実施の形態】
以下本発明の一実施例を図面により説明する。図１は車両基地の本発明の一実施形態に係るＡＴＳ試験コイル移動装置を備えた点検作業場の構成を示す側面図であり、図２は同点検作業場の正面部分断面図であり、図３は同ＡＴＳ試験コイル移動装置の上面図であり、図４は同ＡＴＳ試験コイル移動装置の構成図であり、図５は同ＡＴＳ試験コイル移動装置を備えたＡＴＳ試験装置の構成を示すブロック図である。
【００１２】
車両基地内の点検作業場１の構成を示すを示す図１、図２において、２は点検作業場１内に入庫した点検対象の車両、３は点検作業場１のレール、４は点検作業場１内車両床下の作業溝、５は車両側に設けられているＡＴＳ車上装置、６はこのＡＴＳ車上装置５試験用の共振コイルを備えたＡＴＳ試験コイル、７はこのＡＴＳ試験コイル６を試験時位置Ａと非試験時位置Ｂとの切替移動させるために点検作業場１内車両床下に設けたＡＴＳ試験コイル移動装置、８はこのＡＴＳ車上装置５を試験するＡＴＳ試験装置を示す。
【００１３】
前記ＡＴＳ試験コイル移動装置７の構成を示す図３、図４において、７ａは移動装置の入力操作を行う入力操作部、７ｂはこの入力操作部７ａの操作に基づき例えば空気圧の如き駆動出力を行う駆動出力部、７ｃはこの駆動出力部７ｂからの駆動出力を受けて例えばエアー駆動され所定角度回転する２連の回転シリンダー、７ｄは同じく駆動出力部７ｂからの駆動出力を受けて例えばエアー駆動され回転シリンダー７ｃの回転位置決めをする回転位置決めパワーロック、７ｅは前記ＡＴＳ試験コイル６を保持して回転シリンダー７ｃの回転により所定角度回転移動する試験コイル保持移動板を示す。電動式の漏電や絶縁劣化等に対して耐久性に優れ、かつ動作が円滑でＡＴＳ試験コイル移動装置７がコンパクトに構成できる。
【００１４】
前記ＡＴＳ試験装置８の構成を示す図５において、８ａは前記ＡＴＳ車上装置５を試験するための試験信号を設定する試験信号設定部、８ｂはこの試験信号設定部８ａにて設定した信号を発生し前記ＡＴＳ試験コイル６に送る試験信号発生部、前記ＡＴＳ車上装置５ははこの試験信号発生部８ｂから送られた信号によりＡＴＳ試験コイル６が送信する試験信号を受信し動作出力を出力し動作出力状況を送信するが、８ｃはＡＴＳ車上装置５のこの動作出力状況送信を受信する動作出力受信部、８ｄはこの動作出力受信部８ｃが受けたＡＴＳ車上装置５の動作出力を表示する動作表示部、８ｅはこれら試験信号設定部８ａ、試験信号発生部８ｂ、動作出力受信部８ｃ、動作表示部８ｄとＡＴＳ試験コイル６を制御しＡＴＳ車上装置５の動作試験を行わせる動作試験制御部である。
【００１５】
以下上記構成からなる本実施例の作用について説明する。通常はＡＴＳ試験コイル移動装置の入力操作部にてＡＴＳ試験コイルを試験時位置に移動するよう操作してあり、駆動出力部は回転駆動出力を２連の回転シリンダーに送り所定角度回転させ、駆動出力部は同じく位置決め駆動出力を回転位置決め手段に送り回転シリンダーが所定角度回転したら停止する回転位置決めをするよう駆動させ、ＡＴＳ試験コイルを試験時位置に移動させた状態にしておくと、点検作業場内に点検対象の車両を入庫させ、ＡＴＳ車上装置を試験する場合に、各車両に乗車したままＡＴＳ車上装置を試験することが出来、点検作業場１内に点検対象の車両２を入庫させる時、前記ＡＴＳ試験コイル移動装置７の入力操作部７ａにてＡＴＳ試験コイル６を試験時位置Ａに移動するよう操作しておくと、駆動出力部７ｂは回転駆動出力用空気圧を２連の回転シリンダー７ｃに送り所定角度回転するようエアー駆動させ、駆動出力部７ｂは同じく位置決め駆動出力用空気圧を回転位置決めパワーロック７ｄに送り回転シリンダー７ｃが所定角度回転したら停止する回転位置決めをするようエアー駆動させ、ＡＴＳ試験コイル６を試験時位置Ａに移動させる。
【００１６】
次いで前記ＡＴＳ試験装置８の試験信号設定部８ａにて車両停止信号を出すよう設定すると、試験信号発生部８ｂからの信号によりＡＴＳ試験コイル６が停止信号を送信し、点検作業場１内に入庫した点検対象の車両２が点検作業場１のレール３上に達した時、この停止信号をＡＴＳ車上装置５が受けて車両２を諸定位置で停止させる。前記ＡＴＳ車上装置５を試験する場合は、ＡＴＳ試験コイル６をこのまま試験時位置Ａにした状態で、試験信号設定部８ａにて試験信号を設定し、試験信号発生部８ｂにて試験信号を発生させ、前記ＡＴＳ試験コイル６に送ると、ＡＴＳ試験コイル６が試験信号を送信し、前記ＡＴＳ車上装置５はこのＡＴＳ試験コイル６が送信する試験信号を受信し動作出力を出力し動作出力状況を送信する。動作出力受信部８ｃはＡＴＳ車上装置５が送信する動作出力状況を受信し、動作表示部８ｄはこの動作出力受信部８ｃが受けたＡＴＳ車上装置５の動作出力を表示する如く、動作試験制御部８ｅの制御により、ＡＴＳ車上装置５の動作試験を行わせる。
【００１７】
次いで前記点検作業場１内車両床下の作業溝４等にて、車両２の下側を点検する場合には、ＡＴＳ試験コイル６が邪魔にならぬよう、前記ＡＴＳ試験コイル移動装置７の入力操作部７ａにてＡＴＳ試験コイル６を非試験時位置Ｂに移動するよう操作しておくと、駆動出力部７ｂは回転駆動出力用空気圧を２連の回転シリンダー７ｃに送り所定角度回転するようエアー駆動させ、駆動出力部７ｂは同じく位置決め駆動出力用空気圧を回転位置決めパワーロック７ｄに送り回転シリンダー７ｃが所定角度回転したら停止する回転位置決めをするようエアー駆動させ、ＡＴＳ試験コイル６を非試験時位置Ｂに移動させる。
【００１８】
なお前述のＡＴＳ試験コイル６を試験時位置Ａ、又は非試験時位置Ｂに切替移動させる時、前記入力操作部７ａはＡＴＳ試験コイル移動装置７内に設けるとともに、前記ＡＴＳ試験装置８内にも並列に設けてあると、例えば、ＡＴＳ試験コイル移動装置７内の入力操作部７ａを点検作業場１内車両床下の作業溝４側に設け、ＡＴＳ試験装置８内の入力操作部７ａを点検作業場１内レール３の外の地上に設けておくと、車両床下の作業溝４側からもレール３の外の地上からもＡＴＳ試験コイル６を移動できるので作業上便利である。または、前記ＡＴＳ試験コイル移動装置７の入力操作部７ａに遠隔入力操作部７ｆを設けたものとして遠隔操作にて駆動出力部７ｂに駆動出力を行い、任意の箇所で操作できるものとすると、車両床下の作業溝４側やレール３の外の地上から、また更に乗車したまま車両２からもと、任意の箇所からＡＴＳ試験コイル６を移動できるので作業上便利である。更に点検作業場内の点検対象の複数の車両車両に対応してＡＴＳ試験コイル移動装置を増設するとより効率良くＡＴＳ車上装置を試験できる。
【００１９】
【発明の効果】
本発明は、本発明は線路側に設けた試験用のＡＴＳ試験コイルにて車両側に設けられたＡＴＳ車上装置を試験するＡＴＳ試験装置に、点検作業場にＡＴＳ試験コイルを点検用に試験時位置と非試験時位置との切替移動させるＡＴＳ試験コイル移動装置を備え、ＡＴＳ試験コイル移動装置を、入力操作を行う入力操作部と、駆動出力を行う駆動出力部と、駆動出力を受けて所定角度回転する２連の回転シリンダーと、同じく駆動出力を受けて回転シリンダーの回転位置決めをする回転位置決め手段と、ＡＴＳ試験コイルを保持して回転シリンダーの回転により所定角度回転移動する試験コイル保持移動板とで構成したから、通常入力操作部にてＡＴＳ試験コイルを試験時位置に移動するよう操作し、駆動出力部は２連の回転シリンダーを所定角度回転させ、同じく回転位置決め手段を回転シリンダーが所定角度回転したら停止する回転位置決めさせ、ＡＴＳ試験コイルを試験時位置に移動させた状態としておくと、ＡＴＳ車上装置を試験する場合は、各車両に乗車したままＡＴＳ車上装置を試験することが出来るとともに、車両床下にて、車両の下側を点検する場合には、ＡＴＳ試験コイルが邪魔にならぬよう、入力操作部にてＡＴＳ試験コイルを非試験時位置に移動するよう操作しておくと、駆動出力部は２連の回転シリンダーを所定角度回転させ、同じく回転位置決め手段を回転シリンダーが所定角度回転したら停止させ、ＡＴＳ試験コイルを非試験時位置に移動させることが出来るので、ＡＴＳ試験コイルを点検する際に試験時位置と非試験時位置との切替移動させることが容易に出来るＡＴＳ試験コイル移動装置が提供出来る。
【００２０】
また、駆動出力部は駆動用空気圧出力を行い駆動出力部、２連の回転シリンダーはこの駆動出力部からの駆動出力を受けて所定角度回転するようエアー駆動され、同じく回転位置決め手段は駆動出力部からの駆動出力を受けてこの回転シリンダーの回転位置決めをするようエアー駆動されるものとすると、電動式の漏電や絶縁劣化等に対して耐久性に優れ、かつ動作が円滑で駆動装置がコンパクトになるメリットがあるＡＴＳ試験コイル移動装置が提供出来る。
【００２１】
また、ＡＴＳ試験コイル移動装置の入力操作部を点検作業場内車両床下の作業溝側に設けるとともに、点検作業場内レールの外の地上にも設け、複数箇所で並列に操作出来るものとすると、車両床下の作業溝側からもレールの外の地上からもＡＴＳ試験コイルを移動できるので作業上便利であるＡＴＳ試験コイル移動装置が提供出来る。
【００２２】
また、ＡＴＳ試験コイル移動装置の入力操作部に遠隔入力操作部を設けたものとして遠隔操作にて駆動出力部に駆動出力を行う、任意の箇所で操作できるものとすると、車両床下の作業溝側やレールの外の地上から、また更に乗車したまま車両からもと、任意の箇所からＡＴＳ試験コイルを移動できるので作業上便利であるＡＴＳ試験コイル移動装置が提供出来る。
【図面の簡単な説明】
【図１】本発明の一実施形態に係るＡＴＳ試験コイル移動装置を備えた点検作業場の構成を示す側面図である。
【図２】同じく、点検作業場の正面部分断面図である。
【図３】同ＡＴＳ試験コイル移動装置の上面図である。
【図４】同ＡＴＳ試験コイル移動装置の構成図である。
【図５】同ＡＴＳ試験コイル移動装置を備えたＡＴＳ試験装置の構成を示すブロック図である。
【符号の説明】
１  車両基地内の点検作業場
２  車両
３  レール
４  車両床下の作業溝
５  ＡＴＳ車上装置
６  ＡＴＳ試験コイル
７  ＡＴＳ試験コイル移動装置
７ａ  入力操作部
７ｂ  駆動出力部
７ｃ  回転シリンダー
７ｄ  回転位置決めパワーロック
７ｅ  試験コイル保持移動板
７ｆ  遠隔入力操作部
８  ＡＴＳ試験装置
８ａ  試験信号設定部
８ｂ  試験信号発生部
８ｃ  動作出力受信部
８ｄ  動作試験制御部
【図１】
2004203361.tif 000003
【図２】
2004203361.tif 000004
【図３】
2004203361.tif 000005
【図４】
2004203361.tif 000006
【図５】
2004203361.tif 000007